【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
１つ又は複数のエコー信号を受信するように、及び、それぞれ、前記１つ又は複数のエコー信号のいくつかの信号強度に基づいて、それぞれ、前記１つ又は複数のエコー信号に対応する第１の減衰エコー信号のセットを生成するように構成される第１の減衰器と、
前記第１の減衰エコー信号のセットを受信して増幅し、それぞれ、前記１つ又は複数の第１の減衰エコー信号に対応する第１の増幅エコー信号のセットを生成するように構成される第１のアンプと、
前記第１の増幅エコー信号のセットを受信するように、及び、それぞれ、前記第１の増幅エコー信号のセットのいくつかの信号強度に基づいて、それぞれ、前記第１の増幅エコー信号のセットに対応する第２の減衰エコー信号のセットを生成するように構成される第２の減衰器と、
を含むシステムであって、
前記第１の減衰器が、
第１の入力端子と第２の入力端子と出力端子とを含むバッファであって、前記第１の入力端子が入力レジスタと結合され、前記第２の入力端子が前記バッファの前記出力端子と結合され、前記入力レジスタが前記１つ又は複数のエコー信号を受け取るように構成される、前記バッファと、
第１の端子と第２の端子とを含むコンデンサであって、前記第１の端子が前記バッファの前記出力端子と結合され、前記第２の端子が電圧基準点と結合される、前記コンデンサと、
前記コンデンサと結合される可変分路レジスタと、
を含み、
前記バッファと前記コンデンサとがローパスフィルタを構成し、前記第１の可変分路レジスタの値が前記１つ又は複数のエコー信号の前記いくつかの信号強度に基づいて変化して、前記第１の減衰器により提供される減衰を変化させる、システム。
【請求項２】
請求項１に記載のシステムであって、
前記第１の減衰器により提供される減衰が、前記入力レジスタのインピーダンス値と前記第１の可変分路レジスタのインピーダンス値のインピーダンス比に基づいて決まる、システム。
【請求項４】
請求項１に記載のシステムであって、
前記第２の減衰器が、
前記第１のアンプの出力を受け取るように構成される第２の直列レジスタと、
第２の可変分路レジスタと、
を含み、
前記第２の可変分路レジスタが、前記第２の直列レジスタと前記第２の可変分路レジスタとのインピーダンス比に基づいて前記第２の減衰器の出力を提供するように構成される、システム。
【請求項４】
請求項１に記載のシステムあって、
前記１つ又は複数のエコー信号の前記いくつかの信号強度のうちの或る信号強度が大きいとき、前記第１の減衰器と前記第２の減衰器とが最大減衰を提供するように構成される、システム。
【請求項５】
請求項１に記載のシステムであって、
前記１つ又は複数のエコー信号の前記いくつかの信号強度のうちの或る信号強度が所定の閾値未満であるとき、前記減衰が前記第２の減衰器によって提供され、前記第１の減衰器によって提供される減衰が無効とされる、システム。
【請求項７】
請求項１に記載のシステムであって、
前記第２の減衰器と結合される第２のアンプであって、前記第２のアンプと前記第２の減衰器とが集合的に、時間利得補償に基づいて前記第１のアンプの出力から受信される前記第１の増幅エコー信号のセットの電圧レベルを均一にするように構成される、前記第２のアンプと、
前記第２のアンプと結合されるフィルタであって、前記第２の減衰エコー信号のセットから、所定の周波数範囲内の信号周波数を含むいくつかのエコー信号をフィルタリングして、１つ又は複数のフィルタリングされたエコー信号を生成するように構成される、前記フィルタと、
前記フィルタと結合され、前記１つ又は複数のフィルタリングされたエコー信号を受信信号に変換するように構成されるコンバータと、
を更に含む、システム。
【請求項７】
請求項６に記載のシステムであって、
前記第１のアンプが低ノイズアンプ（ＬＮＡ）であり、前記第２のアンプが固定利得アンプ（ＦＧＡ）であり、前記フィルタがアンチエイリアスフィルタ（ＡＡＦ）である、システム。
【請求項８】
請求項１に記載のシステムであって、
前記第１の減衰器と前記第２の減衰器とが電圧制御減衰器（ＶＣＡ）である、システム。
【請求項１０】
請求項１に記載のシステムであって、
前記システムが、超音波システム用のレシーバフロントエンドシステムである、システム。
【請求項１１】
超音波システム用のレシーバフロントエンドシステムであって、
可変利得アンプであって、
１つ又は複数のエコー信号を受信するように、及び、それぞれ、前記１つ又は複数のエコー信号のいくつかの信号強度に基づいて、それぞれ、前記１つ又は複数のエコー信号に対応する第１の減衰エコー信号のセットを生成するように構成される第１の減衰器と、
前記第１の減衰エコー信号のセットを受信して増幅し、それぞれ、前記１つ又は複数の第１の減衰エコー信号に対応する第１の増幅エコー信号のセットを生成するように構成される第１のアンプと、
前記第１の増幅エコー信号のセットを受信するように、及び、それぞれ、前記第１の増幅エコー信号のセットのいくつかの信号強度に基づいて、それぞれ、前記第１の増幅エコー信号のセットに対応する第２の減衰エコー信号のセットを生成するように構成される第２の減衰器と、
前記第２の減衰器と結合される第２のアンプであって、前記第２のアンプと前記第２の減衰器とが集合的に、時間利得補償に基づいて前記第１のアンプの出力から受信される前記第１の増幅エコー信号のセットの電圧レベルを均一にするように構成される、前記第２のアンプと、
を含む、前記可変利得アンプと、
前記第２のアンプと結合されるフィルタであって、前記第２の減衰エコー信号のセットから、所定の周波数範囲内の信号周波数を含むいくつかのエコー信号をフィルタリングして、１つ又は複数のフィルタリングされたエコー信号を生成するように構成される、前記フィルタと、
前記フィルタと結合され、前記１つ又は複数のフィルタリングされたエコー信号を受信信号に変換するように構成されるコンバータと、
を含み、
前記第１の減衰器が、
第１の入力端子と第２の入力端子と出力端子とを含むバッファであって、前記第１の入力端子が入力レジスタと結合され、前記第２の入力端子が前記バッファの前記出力端子と結合され、前記入力レジスタが前記１つ又は複数のエコー信号を受け取るように構成される、前記バッファと、
第１の端子と第２の端子とを含むコンデンサであって、前記第１の端子が前記バッファの前記出力端子と結合され、前記第２の端子が電圧基準点と結合される、前記コンデンサと、
前記コンデンサと結合される可変分路レジスタと、
を含み、
前記バッファと前記コンデンサとがローパスフィルタを構成し、前記第１の可変分路レジスタの値が前記１つ又は複数のエコー信号の前記いくつかの信号強度に基づいて変化して、前記第１の減衰器により提供される減衰を変化させる、レシーバフロントエンドシステム。
【請求項１１】
請求項１０に記載のレシーバフロントエンドシステムであって、
前記第２の減衰器が、
前記第１のアンプの出力を受け取るように構成される第２の直列レジスタと、
第２の可変分路レジスタと、
を含み、
前記第２の可変分路レジスタが、第２の直列レジスタと前記第２の可変分路レジスタとのインピーダンス比に基づいて前記第２の減衰器の出力を提供するように構成される、レシーバフロントエンドシステム。
【請求項１２】
請求項１０に記載のレシーバフロントエンドシステムであって、
前記１つ又は複数のエコー信号の前記いくつかの信号強度のうちの或る信号強度が大きいとき、前記第１の減衰器と前記第２の減衰器とが最大減衰を提供するように構成される、レシーバフロントエンドシステム。
【請求項１３】
請求項１０に記載のレシーバフロントエンドシステムであって、
前記１つ又は複数のエコー信号の前記いくつかの信号強度のうちの或る信号強度が所定の閾値未満であるとき、前記減衰が前記第２の減衰器により提供され、前記第１の減衰器により提供される減衰が無効とされる、レシーバフロントエンドシステム。
【請求項１４】
請求項１０に記載のレシーバフロントエンドシステムであって、
前記レシーバフロントエンドシステムが超音波システムに関連する、レシーバフロントエンドシステム。
【請求項１５】
１つ又は複数の励起信号を生成及び送信するように構成されるトランスミッタと、
前記トランスミッタと結合され、前記１つ又は複数の励起信号に基づいて送信信号を生成するように構成され、入力レジスタを含む、少なくとも１つのトランスデューサと、
前記少なくとも１つのトランスデューサと結合され、前記送信信号に応答して１つ又は複数のエコーを受信するように構成されるレシーバフロントエンドと、
を含む超音波システムであって、
前記レシーバフロントエンドが、
１つ又は複数のエコー信号を受信するように、及び、それぞれ、前記１つ又は複数のエコー信号のいくつかの信号強度に基づいて、それぞれ、前記１つ又は複数のエコー信号に対応する第１の減衰エコー信号のセットを生成するように構成される第１の減衰器と、
前記第１の減衰エコー信号のセットを受信して増幅し、それぞれ、前記１つ又は複数の第１の減衰エコー信号に対応する第１の増幅エコー信号のセットを生成するように構成される第１のアンプと、
前記第１の増幅エコー信号のセットを受信するように、及び、それぞれ、前記第１の増幅エコー信号のセットのいくつかの信号強度に基づいて、それぞれ、前記第１の増幅エコー信号のセットに対応する第２の減衰エコー信号のセットを生成するように構成される第２の減衰器と、
前記第２の減衰器と結合される第２のアンプであって、前記第２のアンプと前記第２の減衰器とが集合的に、時間利得補償に基づいて前記第１のアンプの出力から受信される前記第１の増幅エコー信号のセットの電圧レベルを均一にするように構成される第２のアンプと、
前記第２のアンプと結合されるフィルタであって、前記第２の減衰エコー信号のセットから、所定の周波数範囲内の信号周波数を含むいくつかのエコー信号をフィルタリングして、１つ又は複数のフィルタリングされたエコー信号を生成するように構成される、前記フィルタと、
前記フィルタと結合され、前記１つ又は複数のフィルタリングされたエコー信号を受信信号に変換するように構成されるコンバータと、
を含み、
前記第１の減衰器が、
第１の入力端子と第２の入力端子と出力端子とを含むバッファであって、前記第１の入力端子が入力レジスタと結合され、前記第２の入力端子が前記バッファの前記出力端子と結合され、前記入力レジスタが前記１つ又は複数のエコー信号を受け取るように構成される、前記バッファと、
第１の端子と第２の端子とを含むコンデンサであって、前記第１の端子が前記バッファの前記出力端子と結合され、前記第２の端子が電圧基準点と結合される、前記コンデンサと、
前記コンデンサと結合される可変分路レジスタと、
を含み、
前記バッファと前記コンデンサとがローパスフィルタを構成し、前記第１の可変分路レジスタの値が前記１つ又は複数のエコー信号の前記信号強度に基づいて変化して、前記第１の減衰器により提供される減衰を変化させる、超音波システム。
【請求項１６】
請求項１５に記載の超音波システムであって、
前記１つ又は複数のエコー信号の前記いくつかの信号強度のうちの或る信号強度が大きいとき、前記第１の減衰器と前記第２の減衰器とが最大減衰を提供するように構成される、超音波システム。
【請求項１７】
請求項１５に記載の超音波システムであって、
前記１つ又は複数のエコー信号の前記いくつかの信号強度のうちの或る信号強度が所定の閾値未満であるとき、前記減衰が前記第２の減衰器により提供され、前記第１の減衰器により提供される減衰が無効とされる、超音波システム。